(57)【要約】【課題】新たにプロバイダとのインターネット接続契約を結ぶ必要が無く、任意の端末装置から無線にてコントロールが可能な暖房システムを提供する。【解決手段】第１制御手段１１Ａを有する第１暖房装置１０と第２制御手段２２Ｂを有する第２暖房装置２０とシステム制御装置５０Ａと情報通信装置６０とを有する。システム制御装置は第２通信線Ｔ２にて第１制御手段に接続され、情報通信装置は無線にてあるいは第１通信線Ｔ１にて第１制御手段と通信可能であり所定の通信プログラムと無線送受信手段とを有する任意の端末装置８０から無線にて送信される設定情報を受信可能であり、設定情報には、第１暖房装置の単独運転の指示、第２暖房装置の単独運転の指示、第１暖房装置と第２暖房装置の連動運転の指示、の少なくとも１つが含まれており、情報通信装置は、端末装置８０から無線にて送信される設定情報を直接的に受信可能な受信手段６１を有している。【選択図】図１
2014001907.tif 000002
【特許請求の範囲】
【請求項１】
暖房循環熱媒から放熱した熱を用いて室内を暖房可能な第１暖房装置と、
温風を用いて前記室内を暖房可能な第２暖房装置と、
前記第１暖房装置と前記第２暖房装置の運転状態を制御するシステム制御装置と、
情報通信装置と、を有する暖房システムにおいて、
前記第１暖房装置は、暖房循環熱媒を用いて放熱する第１放熱体と、暖房循環熱媒を加熱する第１熱源機と、前記第１熱源機を制御する第１制御手段と、を有しており、
前記第２暖房装置は、温風を出力する第２放熱体と、第２熱源機と、前記第２熱源機を制御する第２制御手段と、を有しており、
前記第１制御手段は、無線にてあるいは第１通信線にて前記情報通信装置と通信可能であり、第２通信線にて前記システム制御装置と通信可能に接続されており、
前記情報通信装置は、所定の通信プログラムと無線送受信手段を有する任意の端末装置から無線にて送信される設定情報を受信可能であり、受信した設定情報を前記無線にてあるいは前記第１通信線を介して前記第１制御手段に送信可能であり、
前記第１制御手段は、受信した設定情報を前記第２通信線を介して前記システム制御装置に送信可能であり、
前記システム制御装置は、補助コントローラを有し、受信した設定情報を前記補助コントローラを介して前記第２制御手段に送信可能であり、
前記設定情報には、前記第１暖房装置の単独運転を指示する第１入力指示と、前記第２暖房装置の単独運転を指示する第２入力指示と、前記第１暖房装置と前記第２暖房装置の双方を連動させて運転する連動運転を指示する第３入力指示と、の少なくとも１つが含まれており、
前記情報通信装置は、前記端末装置から無線にて送信される設定情報を直接的に受信可能な受信手段を有している、
暖房システム。
【請求項２】
請求項１に記載の暖房システムであって、
前記第１暖房装置の単独運転を指示する設定情報を送信可能な第１コントローラと、前記第２暖房装置の単独運転を指示する設定情報を送信可能な第２コントローラと、の少なくとも一方を有しており、
前記第１コントローラは、第３通信線にて前記システム制御装置に接続あるいは第４通信線にて前記第１制御手段に接続されており、
前記第２コントローラは、無線にて設定情報を前記第２制御手段と前記補助コントローラに送信可能であり、
前記システム制御装置は、前記第１コントローラからの設定情報を、前記第３通信線を介して前記第１コントローラから取得あるいは前記第２通信線を介して前記第１制御手段から取得することが可能であり、前記第２コントローラからの設定情報を、前記補助コントローラを介して取得することが可能である、
暖房システム。
【請求項３】
請求項１または２に記載の暖房システムであって、
前記情報通信装置は、情報を無線にて前記端末装置に直接的に送信可能な送信手段を有しており、前記設定情報に基づいた前記第１暖房装置及び前記第２暖房装置の運転状態に関する応答情報を、前記送信手段を介して前記端末装置に送信する、
暖房システム。
【請求項４】
請求項１〜３のいずれか一項に記載の暖房システムであって、
前記端末装置及び前記通信プログラムは、音声認識機能を有しており、
前記端末装置は、前記通信プログラムを用いて入力された音声に基づいて設定情報を作成し、作成した設定情報を無線にて送信する、
暖房システム。
【請求項５】
請求項１〜４のいずれか一項に記載の暖房システムであって、
前記端末装置は、気象情報を取得可能であり、取得した気象情報に基づいて設定情報を自動的に作成し、作成した設定情報を無線にて送信する、
暖房システム。
【請求項６】
請求項１〜５のいずれか一項に記載の暖房システムであって、
前記端末装置は、スマートフォン、携帯電話、タブレット端末、ＰＨＳを含む移動通信端末またはコンピュータである、
暖房システム。
【発明の詳細な説明】
【技術分野】
【０００１】
本発明は、暖房システムに関する。
【背景技術】
【０００２】
従来、エアコンや床暖房等の空気調和システムの運転制御指令を携帯電話やパーソナルコンピュータ等の外部端末によって操作する空気調和システムとして、特開２００２−２４３２４９が知られている。
特開２００２−２４３２４９では、１台の熱源機と当該熱源機から供給された温水を利用して居室内暖房を行う床暖房や温水式エアコン等の空気調和端末とが集中コントローラで制御されている。集中コントローラは、インターネットに接続されており、外部端末から送信されたメールを取り込んで制御信号に変換し、変換した制御信号に基づいて、エアコンや床暖房等の運転を制御する。これによって、例えば外出先にて外部端末からメールを送信することで床暖房やエアコンを遠隔操作することができる。
【先行技術文献】
【特許文献】
【０００３】
【特許文献１】特開２００２−２４３２４９号公報
【発明の概要】
【発明が解決しようとする課題】
【０００４】
特許文献１に記載された従来技術では、携帯電話やパーソナルコンピュータ等の外部端末からのメールを利用して遠隔操作を行うために、集中コントローラをプロバイダサーバ経由でインターネットに接続しなければならない。すなわち、プロバイダとのインターネット接続契約が必要である。
近年では、スマートフォン、携帯電話、タブレット端末、ＰＨＳ等の種々の無線送受信手段を備えた移動通信端末またはパーソナルコンピュータが広く普及している。しかし、例えばスマートフォンを所有して当該スマートフォンを用いて通話やインターネットを利用しているが、パーソナルコンピュータを所有しておらずプロバイダとのインターネット接続契約をしていないユーザも多い。このようなユーザの場合、特許文献１に記載の暖房システムを、ユーザ自身が所有しているスマートフォンから操作しようとした場合、新たにプロバイダとのインターネット接続契約を結ばなければならず、手間であるとともに費用がかかるので好ましくない。
本発明は、このような点に鑑みて創案されたものであり、新たにプロバイダとのインターネット接続契約を結ぶ必要が無く、任意の端末装置から無線にてコントロールが可能な暖房システムを提供することを課題とする。
【課題を解決するための手段】
【０００５】
上記課題を解決するため、本発明に係る暖房システムは次の手段をとる。
まず、本発明の第１の発明は、暖房循環熱媒から放熱した熱を用いて室内を暖房可能な第１暖房装置と、温風を用いて前記室内を暖房可能な第２暖房装置と、前記第１暖房装置と前記第２暖房装置の運転状態を制御するシステム制御装置と、情報通信装置と、を有する暖房システムである。
前記第１暖房装置は、暖房循環熱媒を用いて放熱する第１放熱体と、暖房循環熱媒を加熱する第１熱源機と、前記第１熱源機を制御する第１制御手段と、を有しており、
前記第２暖房装置は、温風を出力する第２放熱体と、第２熱源機と、前記第２熱源機を制御する第２制御手段と、を有している。
また、前記第１制御手段は、無線にてあるいは第１通信線にて前記情報通信装置と通信可能であり、第２通信線にて前記システム制御装置と通信可能に接続されており、前記情報通信装置は、所定の通信プログラムと無線送受信手段を有する任意の端末装置から無線にて送信される設定情報を受信可能であり、受信した設定情報を前記無線にてあるいは前記第１通信線を介して前記第１制御手段に送信可能であり、前記第１制御手段は、受信した設定情報を前記第２通信線を介して前記システム制御装置に送信可能であり、前記システム制御装置は、補助コントローラを有し、受信した設定情報を前記補助コントローラを介して前記第２制御手段に送信可能である。
そして、前記設定情報には、前記第１暖房装置の単独運転を指示する第１入力指示と、前記第２暖房装置の単独運転を指示する第２入力指示と、前記第１暖房装置と前記第２暖房装置の双方を連動させて運転する連動運転を指示する第３入力指示と、の少なくとも１つが含まれており、前記情報通信装置は、前記端末装置から無線にて送信される設定情報を直接的に受信可能な受信手段を有している。
【０００６】
この第１の発明によれば、情報通信装置は、任意の端末装置から無線にて送信される設定情報を、受信手段にて直接受信する。
このため、情報通信装置をインターネットに接続する必要が無く、新たにプロバイダとのインターネット接続契約を結ぶ必要が無く、任意の端末装置から無線にてコントロールが可能である。
【０００７】
次に、本発明の第２の発明は、上記第１の発明に係る暖房システムであって、前記第１暖房装置の単独運転を指示する設定情報を送信可能な第１コントローラと、前記第２暖房装置の単独運転を指示する設定情報を送信可能な第２コントローラと、の少なくとも一方を有している。
前記第１コントローラは、第３通信線にて前記システム制御装置に接続あるいは第４通信線にて前記第１制御手段に接続されており、前記第２コントローラは、無線にて設定情報を前記第２制御手段と前記補助コントローラに送信可能である。
そして、前記システム制御装置は、前記第１コントローラからの設定情報を、前記第３通信線を介して前記第１コントローラから取得あるいは前記第２通信線を介して前記第１制御手段から取得することが可能であり、前記第２コントローラからの設定情報を、前記補助コントローラを介して取得することが可能である。
【０００８】
この第２の発明では、ユーザが端末装置を所有していない場合や、端末装置が近くに見当たらない場合等であっても、第１コントローラや第２コントローラから設定情報を送信することができるので、便利である。
【０００９】
次に、本発明の第３の発明は、上記第１の発明または第２の発明に係る暖房システムであって、前記情報通信装置は、情報を無線にて前記端末装置に直接的に送信可能な送信手段を有しており、前記設定情報に基づいた前記第１暖房装置及び前記第２暖房装置の運転状態に関する応答情報を、前記送信手段を介して前記端末装置に送信する。
【００１０】
この第３の発明では、第１暖房装置及び第２暖房装置の運転状態に関する応答情報を、情報通信装置から端末装置に無線で直接送信するので、ユーザは、情報通信装置が設定情報を正しく受け付けたか否かを容易に判断できるので便利である。
また、情報通信装置と端末装置との間で直接送受信するので、情報通信装置をインターネットに接続する必要が無く、新たにプロバイダとのインターネット接続契約を結ぶ必要が無い。
【００１１】
次に、本発明の第４の発明は、上記第１〜第３のいずれか１つの発明に係る暖房システムであって、前記端末装置及び前記通信プログラムは、音声認識機能を有しており、前記端末装置は、前記通信プログラムを用いて入力された音声に基づいて設定情報を作成し、作成した設定情報を無線にて送信する。
【００１２】
この第４の発明では、ユーザは音声にて設定情報を入力することができるので、設定情報の入力が非常に容易である。
【００１３】
次に、本発明の第５の発明は、上記第１〜第４のいずれか１つの発明に係る暖房システムであって、前記端末装置は、気象情報を取得可能であり、取得した気象情報に基づいて設定情報を自動的に作成し、作成した設定情報を無線にて送信する。
【００１４】
この第５の発明では、気象情報に基づいて、快適な暖房となる設定情報を自動的に作成するので、手間がかからないとともに、過剰な暖房や暖房不足等を適切に回避することができる。
【００１５】
次に、本発明の第６の発明は、上記第１〜第５のいずれか１つの発明に係る暖房システムであって、前記端末装置は、スマートフォン、携帯電話、タブレット端末、ＰＨＳを含む移動通信端末またはコンピュータである。
【００１６】
この第６の発明では、近年では多くのユーザに広く普及しているスマートフォン、携帯電話、タブレット端末、ＰＨＳを任意の端末装置として利用する。
これらの端末装置は、予め種々の無線送受信手段（例えば３Ｇ回線等の通話・インターネット用の無線送受信手段、Ｗｉ−Ｆｉ（登録商標）用の無線送受信手段、Ｂｌｕｅｔｏｏｔｈ（登録商標）用の無線送受信手段、赤外線通信用の無線送受信手段）を備えている。それらの無線送受信手段と情報通信装置とを直接無線で送受信できる構成としているので、ユーザが所有している端末装置をそのまま利用することが可能であり、新たにプロバイダとのインターネット接続契約を結ぶ必要が無い。
【図面の簡単な説明】
【００１７】
【図１】第１の実施の形態における暖房システム１Ａの構成を説明する図である。
【図２】端末装置８０と情報通信装置６０と第１制御手段１１Ａとシステム制御装置５０Ａの処理手順の例を説明するフローチャートである。
【図３】第２の実施の形態における暖房システム１Ｂの構成を説明する図である。
【図４】第３の実施の形態における暖房システム１Ｃの構成を説明する図である。
【発明を実施するための形態】
【００１８】
以下に本発明を実施するための形態を図面を用いて説明する。なお、図１、図３、図４において、点線Ｒにて囲まれた内部は暖房するべき室内ＲＩを示し、点線Ｒにて囲まれた内部を除いた周囲は屋外ＲＯを示している。
●●［第１の実施の形態における暖房システム１Ａ（図１、図２）］
まず図１を用いて、第１の実施の形態の暖房システム１Ａにおける全体構成について説明する。
第１の実施の形態の暖房システム１Ａは、第１暖房装置１０と、第２暖房装置２０と、システム制御装置５０Ａと、情報通信装置６０と、を有している。そして暖房システム１Ａのコントローラとして、任意の端末装置８０を用いる。
第１暖房装置１０はいわゆる床暖房装置であり、流体である暖房循環熱媒（例えば温水）を循環させて室内ＲＩの床を暖房可能な装置である。
また第２暖房装置２０はいわゆるエアコンであり、温風を用いて室内ＲＩを暖房可能な装置である。
ユーザは任意の端末装置８０を操作することで、第１暖房装置の単独作動、第２暖房装置の単独作動、第１暖房装置１０と第２暖房装置２０の連動作動、の少なくとも１つを指示することが可能である。
なお、第１暖房装置１０と第２暖房装置２０とを連動させて動作させることで、効率良く室内ＲＩを暖房することが可能であるとともに、ユーザの快適性をより向上させることができる。
【００１９】
第１暖房装置１０は、室内ＲＩの床に配置されて暖房循環熱媒を用いて放熱する第１放熱体１２と、屋外ＲＯに配置されて燃焼により暖房循環熱媒を加熱する燃焼熱源機１１（第１熱源機に相当）と、にて構成されている。
燃焼熱源機１１は、第１制御手段１１Ａと、燃焼加熱手段１１Ｂと、熱交換器１１Ｃと、循環ポンプ１１Ｐと、弁１１Ｖと、を有している。
第１制御手段１１Ａは、内部にＣＰＵ等を備えており、第２通信線Ｔ２にてシステム制御装置５０Ａと接続されて、システム制御装置５０Ａとの間で種々の情報を送受信することができる。また第１制御手段１１Ａは、無線あるいは有線（第１通信線Ｔ１）にて情報通信装置６０と通信可能であり、情報通信装置６０との間で種々の情報を送受信することができる。なお、無線の場合の通信方法は、Ｗｉ−Ｆｉ（登録商標）用の無線や、Ｂｌｕｅｔｏｏｔｈ（登録商標）用の無線や、赤外線通信用の無線等、種々の通信方法を用いることができる。
そして、第１制御手段１１Ａは、情報通信装置６０から受信した設定情報に基づいて、燃焼加熱手段１１Ｂ、循環ポンプ１１Ｐ、弁１１Ｖ等を制御し、情報通信装置６０から受信した設定情報を、システム制御装置５０Ａに送信する。
燃焼加熱手段１１Ｂは、第１制御手段１１Ａからの制御信号に基づいて、燃料配管１０Ｇから供給される燃料（例えば都市ガス）を燃焼させて熱交換器１１Ｃ内の暖房循環熱媒を加熱する。
循環ポンプ１１Ｐは、第１制御手段１１Ａからの制御信号に基づいて、戻り配管１０Ｒを介して第１放熱体１２から放熱した後の暖房循環熱媒を吸い込むとともに熱交換器１１Ｃに向けて暖房循環熱媒を圧送することで暖房循環熱媒を循環させる。
弁１１Ｖは、第１制御手段１１Ａからの制御信号に基づいて、加熱した暖房循環熱媒を第１放熱体１２に供給する供給配管１０Ｑの開度量を調節し、暖房循環熱媒の供給量を調節する。
また第１放熱体１２は、供給配管１０Ｑから供給される暖房循環熱媒を用いて室内ＲＩの床に放熱する。また、放熱後の暖房循環熱媒は、戻り配管１０Ｒから燃焼熱源機１１に戻される。
【００２０】
第２暖房装置２０は、室内ＲＩの壁等に取り付けられて温風を用いて室内ＲＩを暖房可能な第２放熱体２２と、屋外ＲＯに配置されてヒートポンプ循環熱媒（例えばＣＯ2やＲ４１０Ａ（代替フロン冷媒））を加熱する電気ヒートポンプ２１（第２熱源機に相当）と、にて構成されている。
第２放熱体２２は、受信手段２２Ａと、第２制御手段２２Ｂを有しており、供給配管２０Ｑから供給される熱媒を用いて室内ＲＩに温風を出力する。また、放熱後の熱媒は、戻り配管２０Ｒから電気ヒートポンプ２１に戻される。なお、第２制御手段２２Ｂは、電気ヒートポンプ２１に設けられていてもよい。
第２制御手段２２Ｂは、内部にＣＰＵ等を備えており、補助コントローラ５０Ｚから送信される設定情報を、受信手段２２Ａを介して受信することが可能であり、受信した設定情報に基づいて、第２放熱体２２、電気ヒートポンプ２１等を制御する。
【００２１】
システム制御装置５０Ａは、第２通信線Ｔ２にて第１制御手段１１Ａと接続されて、第１制御手段１１Ａとの間で種々の情報を送受信することができる。また、システム制御装置５０Ａは、第５通信線Ｔ５にて補助コントローラ５０Ｚと接続されて、補助コントローラ５０Ｚとの間で種々の情報を送受信することができる。
システム制御装置５０Ａは、第１制御手段１１Ａから受信した設定情報が、第２暖房装置２０の暖房運転を必要とする設定情報であった場合、当該設定情報を補助コントローラ５０Ｚを介して第２制御手段２２Ｂに送信する。
補助コントローラ５０Ｚは、第５通信線Ｔ５を介してシステム制御装置５０Ａから受信した設定情報を、無線にて受信手段２２Ａに送信することが可能である。
情報通信装置６０は、無線あるいは有線（第１通信線Ｔ１）にて第１制御手段１１Ａと通信可能であり、第１制御手段１１Ａとの間で種々の情報を送受信することができる。
情報通信装置６０は、所定の通信プログラムと無線送受信手段とを備えた任意の端末装置８０から無線にて送信される設定情報を直接的に受信可能な受信手段６１を備えている。
また、情報通信装置６０は、情報を無線にて端末装置８０に直接的に送信可能な送信手段６２を備えている。
【００２２】
端末装置８０は、スマートフォン、携帯電話、タブレット端末、ＰＨＳ（Ｐｅｒｓｏｎａｌ  Ｈａｎｄｙ−ｐｈｏｎｅ  Ｓｙｓｔｅｍ）を含む任意の移動通信端末またはコンピュータ（パーソナルコンピュータ）である。
そして端末装置８０は、もともと種々の無線送受信手段を備えている。例えばスマートフォンの場合、３Ｇ回線等の通話・インターネット用の無線送受信手段、Ｗｉ−Ｆｉ（登録商標）用の無線送受信手段、Ｂｌｕｅｔｏｏｔｈ（登録商標）用の無線送受信手段、赤外線通信用の無線送受信手段等を有している。
本発明は、新たにプロバイダとのインターネット接続契約を結ぶ必要が無く、ユーザが所有している端末装置８０がもともと備えている無線送受信手段を利用して、当該端末装置８０を暖房システム１Ａのコントローラとして利用するものである。
ユーザは、所有している任意の端末装置８０（例えばスマートフォン）に、所定の通信プログラム（この場合、暖房システム１Ａをコントロールするためのアプリケーションソフト）をダウンロード及びインストールすることで、当該端末装置８０を、暖房システム１Ａのコントローラとして利用することができる。
なお、端末装置８０が備えているいずれの無線送受信手段を利用してもよいが、例えば所定の通信プログラムは、Ｗｉ−Ｆｉ（登録商標）用の無線送受信手段、またはＢｌｕｅｔｏｏｔｈ（登録商標）用の無線送受信手段を利用するようにプログラムされている。
なお、端末装置８０が、所定の通信プログラムで利用する無線送受信手段を備えていない場合、当該無線送受信手段を備えたアダプタを用意して、当該アダプタを端末装置８０に接続して利用するようにしてもよい。例えば、所定の通信プログラムが赤外線通信を利用するプログラムであり、端末装置８０が赤外線通信用の無線送受信手段を備えていない場合、赤外線通信用の無線送受信手段を備えたアダプタを端末装置８０に接続して利用するようにしてもよい。
【００２３】
●［端末装置８０と情報通信装置６０と第１制御手段１１Ａとシステム制御装置５０Ａの処理手順（図２）］
以下、ユーザが端末装置８０を用いて暖房システム１Ａの動作を指示する際における、端末装置８０の処理手順と情報通信装置６０の処理手順と第１制御手段１１Ａの処理手順とシステム制御装置５０Ａの処理手順と、を図２に示すフローチャート、及び図１に示した設定情報画面８２Ａ、応答情報画面８３Ａを用いて説明する。
【００２４】
まず端末装置８０の処理手順の例について説明する。
ステップＳ１０にて、端末装置８０は、所定の通信プログラムが起動されたか否かを判定する。起動されていない場合（Ｎｏ）はステップＳ１０に戻り、起動された場合（Ｙｅｓ）はステップＳ２０に進む。
ステップＳ２０に進んだ場合、端末装置８０は、図１に示すように表示画面８１に設定情報画面８２Ａ（設定情報入力画面）を表示して入力待ち状態となる。
設定情報画面８２Ａにおける運転入力部８２Ｂは、床暖房（第１暖房装置）の単独運転を指示する第１入力指示と、エアコン（第２暖房装置）の単独運転を指示する第２入力指示と、床暖房（第１暖房装置）とエアコン（第２暖房装置）の双方を連動させて運転する連動運転を指示する第３入力指示と、の少なくとも１つの指示が入力可能に構成されている。
また設定情報画面８２Ａにおけるレベル入力部８２Ｃは、暖房レベル（暖房温度または暖房強度に関する情報）を入力可能に構成されている。図１の設定情報画面８２Ａの例では、１〜５の数字で暖房レベルを設定する例を示しているが、弱・中・強にて設定可能としてもよいし、暖房温度を数字で設定するようにしてもよい。
【００２５】
そしてステップＳ３０では、端末装置８０は、表示している設定情報画面８２Ａにおいて、ユーザから運転入力部８２Ｂの入力指示があり、ユーザからレベル入力部８２Ｃの入力があり、ユーザからの送信ボタン８２Ｄの操作の有無を判定する。送信指示がない場合（Ｎｏ）はステップＳ３０に戻ってユーザの入力を待つ。送信指示がある場合（Ｙｅｓ）はステップＳ４０に進む。
ステップＳ４０に進んだ場合、端末装置８０は、設定情報画面８２Ａから入力された指示に基づいて設定情報を作成し、作成した設定情報を無線にて情報通信装置６０に送信し、ステップＳ５０に進む。
【００２６】
ステップＳ５０では、端末装置８０は、情報通信装置６０からの応答情報を無線にて受信したか否かを判定する。無線で応答情報を受信していない場合（Ｎｏ）はステップＳ５０に戻り、応答情報の受信を待つ。無線で応答情報を受信した場合（Ｙｅｓ）はステップＳ６０に進む。
ステップＳ６０に進んだ場合、端末装置８０は、図１に示すように、受信した応答情報に基づいた応答情報画面８３Ａを、表示画面８１に表示する。そしてユーザから応答情報画面８３Ａの表示を終了する操作が行われると処理を終了する。
なお応答情報は、設定情報を受信したシステム制御装置５０Ａが、受信した設定情報に基づいて暖房運転をどのような状態に制御したか、をユーザに知らせるものである。
図１の例に示すように、設定情報画面８２Ａから設定情報を入力して送信したユーザは、応答情報画面８３Ａを確認することで、自身が入力指示した内容にて暖房運転が開始されたことを知ることができる。
【００２７】
次に情報通信装置６０の処理手順の例について説明する。
ステップＳ１１０にて、情報通信装置６０は、端末装置８０からの設定情報を、情報通信装置６０の受信手段６１にて無線で受信したか否かを判定する。設定情報を受信した場合（Ｙｅｓ）はステップＳ１２０に進み、設定情報を受信していない場合（Ｎｏ）はステップＳ１１０に戻り、設定情報の受信を待つ。
ステップＳ１２０に進んだ場合、情報通信装置６０は、受信した設定情報を、無線または有線（第１通信線Ｔ１）にて第１制御手段１１Ａに送信し、ステップＳ１４０に進む。
ステップＳ１４０では、情報通信装置６０は、無線または有線にて第１制御手段１１Ａから応答情報を受信したか否かを判定する。応答情報を受信した場合（Ｙｅｓ）はステップＳ１５０に進み、応答情報を受信していない場合（Ｎｏ）はステップＳ１４０に戻り、応答情報の受信を待つ。
ステップＳ１５０に進んだ場合、情報通信装置６０は、第１制御手段１１Ａから受信した応答情報を、情報通信装置６０の送信手段６２から無線にて端末装置８０に送信し、ステップＳ１１０に戻る。
【００２８】
次に第１制御手段１１Ａの処理手順の例について説明する。
ステップＳ２１０にて、第１制御手段１１Ａは、情報通信装置６０から無線または有線（第１通信線Ｔ１）にて設定情報を受信したか否かを判定する。設定情報を受信した場合（Ｙｅｓ）はステップＳ２２０に進み、設定情報を受信していない場合（Ｎｏ）はステップＳ２１０に戻り、設定情報の受信を待つ。
ステップＳ２２０に進んだ場合、第１制御手段１１Ａは、受信した設定情報を第２通信線Ｔ２を介してシステム制御装置５０Ａに送信し、ステップＳ２３０に進む。
ステップＳ２３０では、第１制御手段１１Ａは、受信した設定情報に基づいて第１暖房装置１０を運転または停止し、ステップＳ２４０に進む。例えば第１制御手段１１Ａは、設定情報にて第１暖房装置の単独運転が指示された場合、第１暖房装置１０の単独運転を行う。また例えば第１制御手段１１Ａは、設定情報にて第２暖房装置の単独運転が指示された場合、第１暖房装置１０の運転を停止する。また例えば第１制御手段１１Ａは、設定情報にて第１暖房装置と第２暖房装置の連動運転が指示された場合、第１暖房装置１０の連動運転を行う。また例えば第１制御手段１１Ａは、設定情報にて暖房の停止が指示された場合、第１暖房装置１０の運転を停止する。
あるいは、第１制御手段１１Ａは、第１暖房装置１０の運転や停止の判断をすることなく、システム制御装置５０Ａからの運転指示または停止指示に基づいて運転または停止を行うようにしてもよい。
ステップＳ２４０では、第１制御手段１１Ａは、システム制御装置５０Ａから応答情報を受信したか否かを判定する。応答情報を受信した場合（Ｙｅｓ）はステップＳ２５０に進み、応答情報を受信していない場合（Ｎｏ）はステップＳ２４０に戻り、応答情報の受信を待つ。
ステップＳ２５０に進んだ場合、第１制御手段１１Ａは、受信した応答情報を無線または有線にて情報通信装置６０に送信し、ステップＳ２１０に戻る。
【００２９】
次にシステム制御装置５０Ａの処理手順の例について説明する。
ステップＳ３１０にて、システム制御装置５０Ａは、第２通信線Ｔ２を介して第１制御手段１１Ａから設定情報を受信したか否かを判定する。設定情報を受信した場合（Ｙｅｓ）はステップＳ３３０に進み、設定情報を受信していない場合（Ｎｏ）はステップＳ３１０に戻り、設定情報の受信を待つ。
ステップＳ３３０に進んだ場合、システム制御装置５０Ａは、受信した設定情報に基づいて暖房運転または停止を指示してステップＳ３４０に進む。例えばシステム制御装置５０Ａは、受信した設定情報にて第２暖房装置２０の単独運転が指示された場合、第５通信線Ｔ５及び補助コントローラ５０Ｚを介して第２暖房装置２０の単独運転を指示する制御信号を第２制御手段２２Ｂ（受信手段２２Ａ）に送信する。また例えばシステム制御装置５０Ａは、受信した設定情報にて第１暖房装置１０の単独運転が指示された場合、第５通信線Ｔ５及び補助コントローラ５０Ｚを介して第２暖房装置２０の停止を指示する制御信号を第２制御手段２２Ｂ（受信手段２２Ａ）に送信する。また例えばシステム制御装置５０Ａは、受信した設定情報にて第１暖房装置１０と第２暖房装置２０の連動運転が指示された場合、第５通信線Ｔ５及び補助コントローラ５０Ｚを介して第２暖房装置２０の連動運転を指示する制御信号を第２制御手段２２Ｂ（受信手段２２Ａ）に送信する。また例えばシステム制御装置５０Ａは、受信した設定情報にて暖房運転の停止が指示された場合、第５通信線Ｔ５及び補助コントローラ５０Ｚを介して第２暖房装置２０の停止を指示する制御信号を第２制御手段２２Ｂ（受信手段２２Ａ）に送信する。
また、システム制御装置５０Ａは、受信した設定情報にて第１暖房装置１０の単独運転が指示された場合は第１暖房装置１０の単独運転を行わせる制御信号を第１制御手段１１Ａに送信し、受信した設定情報にて第２暖房装置２０の単独運転が指示された場合は第１暖房装置１０を停止する制御信号を第１制御手段１１Ａに送信し、受信した設定情報にて第１暖房装置１０と第２暖房装置２０の連動運転が指示された場合は第１暖房装置１０の連動運転を行わせる制御信号を第１制御手段１１Ａに送信し、受信した設定情報にて暖房の停止が指示された場合は第１暖房装置１０を停止する制御信号を第１制御手段１１Ａに送信するようにしてもよい。
そしてステップＳ３４０では、システム制御装置５０Ａは、受信した設定情報に基づいた第１暖房装置及び第２暖房装置の運転状態に関する応答情報を作成し、作成した応答情報を、第２通信線Ｔ２を介して第１制御手段１１Ａに送信し、ステップＳ３１０に戻る。
【００３０】
以上の説明では、情報通信装置６０に受信手段６１と送信手段６２を備えた例を説明したが、送信手段６２を省略し、ステップＳ３４０、ステップＳ２４０、ステップＳ２５０、ステップＳ１４０、ステップＳ１５０、ステップＳ５０、ステップＳ６０を省略してもよい。
【００３１】
以上、第１の実施の形態では、無線送受信手段を有している任意の端末装置８０を暖房システム１Ａのコントローラとして利用することができるので、専用のコントローラを用意する必要が無く、プロバイダとのインターネット接続契約を結ぶ必要も無いので、非常に便利である。
【００３２】
●●［第２の実施の形態における暖房システム１Ｂ（図３）］
次に図３を用いて、第２の実施の形態の暖房システム１Ｂについて説明する。
第２の実施の形態の暖房システム１Ｂは、図１に示す第１の実施の形態の暖房システム１Ａに対して、第１コントローラ３０及び第２コントローラ４０が追加されている点が異なり、他は第１の実施の形態と同じである。
以下、相違点について主に説明する。
【００３３】
第１コントローラ３０は、第１暖房装置１０の単独運転及び第１暖房装置１０と第２暖房装置２０の連動運転を指示することが可能なコントローラであり、暖房システム１Ｂの電源のＯＮ／ＯＦＦスイッチや暖房レベル（暖房温度を含む）設定手段等を備えており、第３通信線Ｔ３にてシステム制御装置５０Ａと接続されている。
第２コントローラ４０は、第２暖房装置２０の単独運転及び第２暖房装置２０と第１暖房装置１０の連動運転を指示することが可能なコントローラであり、暖房システム１Ｂの電源のＯＮ／ＯＦＦスイッチや暖房レベル（暖房温度を含む）設定手段等を備えている。
【００３４】
第１コントローラ３０は、ユーザから入力指示された設定情報を、第３通信線Ｔ３を介してシステム制御装置５０Ａに送信する。
第２コントローラ４０は、ユーザから入力指示された設定情報を、無線にて第２制御手段２２Ｂ（受信手段２２Ａ）及び補助コントローラ５０Ｚに送信する。
システム制御装置５０Ａは、第１コントローラ３０から受信した設定情報が、例えば第１暖房装置の単独運転の指示であった場合、第２通信線Ｔ２を介して第１制御手段１１Ａに単独運転を指示する制御信号を送信し、第５通信線Ｔ５及び補助コントローラ５０Ｚを介して第２制御手段２２Ｂ（受信手段２２Ａ）に運転を停止する制御信号を送信する。
またシステム制御装置５０Ａは、第２コントローラ４０から受信した設定情報が、例えば第２暖房装置の単独運転の指示であった場合、第２通信線Ｔ２を介して第１制御手段１１Ａに運転を停止する制御信号を送信し、第５通信線Ｔ５及び補助コントローラ５０Ｚを介して第２制御手段２２Ｂ（受信手段２２Ａ）に単独運転を指示する制御信号を送信する。
またシステム制御装置５０Ａは、第１コントローラ３０または第２コントローラ４０から受信した設定情報が、例えば第１暖房装置と第２暖房装置の連動運転の指示であった場合、連動運転を指示する制御信号を、第２通信線Ｔ２を介して第１制御手段１１Ａに送信し、第５通信線Ｔ５及び補助コントローラ５０Ｚを介して第２制御手段２２Ｂ（受信手段２２Ａ）に送信する。
またシステム制御装置５０Ａは、第１コントローラ３０または第２コントローラ４０から受信した設定情報が、例えば暖房運転の停止の指示であった場合、運転の停止を指示する制御信号を、第２通信線Ｔ２を介して第１制御手段１１Ａに送信し、第５通信線Ｔ５及び補助コントローラ５０Ｚを介して第２制御手段２２Ｂ（受信手段２２Ａ）に送信する。
【００３５】
なお、システム制御装置５０Ａは、端末装置８０からの設定情報を、情報通信装置６０及び第１制御手段１１Ａを介して受信した場合、受信した設定情報に基づいた運転状態に関する応答情報を作成し、作成した応答情報を、第１制御手段１１Ａ及び情報通信装置６０を介して端末装置８０に送信する（図２のステップＳ３４０、ステップＳ２４０、Ｓ２５０、ステップＳ１４０、Ｓ１５０参照）。
これと同様に、システム制御装置５０Ａは、第１コントローラ３０または第２コントローラ４０から設定情報を（有線または無線で）受信した場合、受信した設定情報に基づいた運転状態に関する応答情報を作成し、作成した応答情報を、第１制御手段１１Ａ及び情報通信装置６０を介して端末装置８０に（無線で）送信することもできる。
【００３６】
以上、第２の実施の形態の暖房システム１Ｂでは、第１の実施の形態の暖房システム１Ａに対して、第１コントローラ３０、第２コントローラ４０が追加されているので、端末装置８０を有していないユーザの場合や、端末装置８０が近くに見つからない場合であっても、第１コントローラ３０や第２コントローラ４０から暖房運転の指示（設定情報の送信）を行うことができるので、便利である。
なお、第１コントローラ３０と第２コントローラ４０の少なくとも一方を設けるように構成してもよい。
【００３７】
●●［第３の実施の形態における暖房システム１Ｃ（図４）］
次に図４を用いて、第３の実施の形態の暖房システム１Ｃについて説明する。
第３の実施の形態の暖房システム１Ｃは、図３に示す第２の実施の形態の暖房システム１Ｂに対して、第１コントローラ３０が第４通信線Ｔ４にて第１制御手段１１Ａに接続されている点が異なり、他は第２の実施の形態と同じである。
以下、相違点について主に説明する。
【００３８】
第１コントローラ３０は、第２の実施の形態と同様に、第１暖房装置１０の単独運転及び第１暖房装置１０と第２暖房装置２０の連動運転を指示することが可能なコントローラであり、暖房システム１Ｃの電源のＯＮ／ＯＦＦスイッチや暖房レベル（暖房温度を含む）設定手段等を備えている。なお、第２の実施の形態に対して、第４通信線Ｔ４にて第１制御手段１１Ａと接続されている。
このため、システム制御装置５０Ａは、第１コントローラ３０から送信された設定情報を、第１制御手段１１Ａ及び第２通信線Ｔ２を介して受信する点が異なるが、他は第２の実施の形態と同様であるので説明を省略する。
第２コントローラ４０は、第２暖房装置２０の単独運転及び第２暖房装置２０と第１暖房装置１０の連動運転を指示することが可能なコントローラであり、暖房システム１Ｃの電源のＯＮ／ＯＦＦスイッチや暖房レベル（暖房温度を含む）設定手段等を備えており、第２の実施の形態と同様であるので説明を省略する。
【００３９】
以上、第３の実施の形態の暖房システム１Ｃでは、第２の実施の形態と同様に、第１の実施の形態の暖房システム１Ａに対して、第１コントローラ３０、第２コントローラ４０が追加されているので、端末装置８０を有していないユーザの場合や、端末装置８０が近くに見つからない場合であっても、第１コントローラ３０や第２コントローラ４０から暖房運転の指示（設定情報の送信）を行うことができるので、便利である。
なお、第１コントローラ３０と第２コントローラ４０の少なくとも一方を設けるように構成してもよい。
【００４０】
以上、第１〜第３の実施の形態にて説明した暖房システム１Ａ〜１Ｃでは、ユーザが新たにプロバイダとのインターネット接続契約を結ぶ必要が無く、任意の端末装置８０から無線にてコントロールが可能な暖房システムを実現することができる。
なお本実施の形態の説明では、端末装置８０から入力する設定情報の例として、図１の設定情報画面８２Ａから入力する例を説明したが、端末装置８０及び所定の通信プログラムに音声認識機能を備えさせ、ユーザからの音声にて設定情報を入力できるように構成することもできる。この場合、設定情報の入力が、非常に容易となる。
また、例えば端末装置８０がスマートフォン等である場合、インターネット等から気象情報（天気、気温、湿度等の情報）を取得可能である。そして端末装置８０に、取得した気象情報に基づいて快適な暖房運転となる設定情報を自動的に作成させてユーザに送信操作のみを行わせるようにすることや、自動的に作成させた設定情報を自動的に送信させることも、可能である。この場合、過剰な暖房運転や、暖房不足等を適切に回避して、より快適な暖房を期待できる。
【００４１】
また、すでに第１暖房装置、第２暖房装置、システム制御装置、第１コントローラ、第２コントローラ等が設けられている従来の暖房システム（端末装置８０をリモコンとして利用できない従来の暖房システム）に対して、新たに情報通信装置６０を取り付け、第１制御手段の制御プログラム及びシステム制御装置の制御プログラムを書き換えることで、スマートフォン等の端末装置８０をリモコンとして利用できる暖房システムへと変更することが可能であり、より少ないコストで変更することができる。
なお、システム制御装置５０Ａと情報通信装置６０とを一体化した場合、端末装置８０からのコントロールが不要な利用者にとっては情報通信装置６０の機能は不要であるが、一体化されてしまっているので情報通信装置６０の部分を取り除くことができない。
これに対して本願では、システム制御装置５０Ａと情報通信装置６０とを別々の装置として構成しているので、端末装置８０からのコントロールが不要な利用者の場合は情報通信装置６０を取り付けなければよく、無駄がない。
また情報通信装置６０を取り付けなかった場合であっても、後日、端末装置８０をリモコンとして利用したいと所望した場合であっても、後から情報端末装置６０を取り付ければよいので便利である。
【００４２】
本発明の暖房システム１Ａ〜１Ｃは、本実施の形態で説明した外観、構成、構造、処理等に限定されず、本発明の要旨を変更しない範囲で種々の変更、追加、削除が可能である。
また本実施の形態の説明において図２を用いて説明した端末装置、情報通信装置、第１制御手段、システム制御装置のそれぞれの処理手順は、これに限定されるものではない。
【符号の説明】
【００４３】
１Ａ〜１Ｃ    暖房システム
１０      第１暖房装置
１１      燃焼熱源機
１１Ａ    第１制御手段
１１Ｂ    燃焼加熱手段
１１Ｃ    熱交換器
１１Ｐ    循環ポンプ
１１Ｖ    弁
１２      第１放熱体
２０      第２暖房装置
２１      電気ヒートポンプ
２２      第２放熱体
２２Ａ    受信手段
２２Ｂ    第２制御手段
３０      第１コントローラ
４０      第２コントローラ
５０Ａ    システム制御装置
５０Ｚ    補助コントローラ
６０      情報通信装置
６１      受信手段
６２      送信手段
８０      端末装置
ＲＩ      室内
ＲＯ      屋外
Ｔ１〜Ｔ５    第１通信線〜第５通信線
【図１】
2014001907.tif 000003
【図２】
2014001907.tif 000004
【図３】
2014001907.tif 000005
【図４】
2014001907.tif 000006